(57)【要約】【課題】積層しているカードから先頭のカードをピックアップするカードの供給において、カードピックアップ時に、カードジャムが起こらないカード供給装置を提供することを目的とする。【解決手段】カードが集積されカード排出口からカードが繰出されるカードホッパー部と、前記カードホッパー部におけるカード集積部先頭のカードに接する搬送ベルトと、前記搬送ベルト裏面側に、前記搬送ベルトを介してカードを支持するテーブルと、を備えることを特徴とするカード供給装置。前記搬送ベルトは、表面の摩擦係数が高いことが望ましい。さらにカード押圧部を有し、前記カード押圧部はカード集積部の後端のカードを付勢力によって押圧する押さえ板からなるカード供給装置であってもよい。【選択図】図１
2020055680.tif 000002
【特許請求の範囲】
【請求項１】
カード供給装置であって、
カードが集積されカード排出口からカードが繰出されるカードホッパー部と、
前記カードホッパー部におけるカード集積部先頭のカードに接する搬送ベルトと、
前記搬送ベルト裏面側に、前記搬送ベルトを介してカードを支持するテーブルと、を備えることを特徴とするカード供給装置。
【請求項２】
前記搬送ベルトは、表面の摩擦係数が高いことを特徴とする請求項１記載のカード供給装置。
【請求項３】
カード押圧部を有し、前記カード押圧部はカード集積部の後端のカードを付勢力によって押圧する押さえ板からなることを特徴とする請求項１または請求項２記載のカード供給装置。
【発明の詳細な説明】
【技術分野】
【０００１】
本発明は、カードプリンタなどのカード供給装置に関する。
【背景技術】
【０００２】
カードプリンタなどにおいては、印刷前の複数のカードが積層状態にして装填され、この部位の複数のカードの内、先頭に位置するカード1枚だけを次工程に送る送り出し機構が備えられているカード供給装置がある（特許文献１参照）。
【先行技術文献】
【特許文献】
【０００３】
【特許文献１】特許４４９５８１１号公報
【発明の概要】
【発明が解決しようとする課題】
【０００４】
図３に従来のカード供給装置２００の概略断面図を示す。カードホッパー部３の中のカード集積部２においてカード１が積層しており、先頭のカード１にはカード搬送部２６の搬送ローラー５が接し、カード１を搬送ローラー５が押圧しながら回転することにより、カード１が搬送され、カードプリンター本体３０に、カードが供給される（特許文献１参照）。
【０００５】
カード集積部２においては、カードを水平にして、積み重ねる状態になっており、カードの自重でもってカード間は押されている。カード間の張り付きが少ない場合は、搬送ローラー５は、先頭のカード１のみを、カード排出口９に供給するが、自重によるカード圧力で、カード間の張り付きがおこり、カードが送れないこと（カードジャム）やカードが重送される事態も起こった。カード同士の張り付き力よりも、搬送ローラー５の摩擦力が小さいために、発生する。
【０００６】
また別の従来技術を説明する。図４にカード供給装置２０１の概略断面図を示す。カードホッパー部３の中のカード集積部２においてカード１が積層しており、先頭のカード１にはカード搬送部２６の搬送ローラー５が接しており、カード１を搬送ローラー５が押圧しながら回転することにより、カード集積部２の先頭のカード１がカード排出口９からカードプリンタ本体３０などの次工程に送り出される。
【０００７】
カード押圧部２０は、付勢力２２によってカード集積部２の後端のカード１を押さえ板２１によって押圧し、カード１同士を密着させながら、カード集積部２のカード１群を、カード排出口９側に寄せる。
【０００８】
搬送ローラー５は、中心にローラー軸６があり、ローラー軸６の周りにゴムなどの弾性材料７から構成される。搬送ローラー５によって、カード集積部２の先頭のカード１がカード排出口９からカードプリンタ本体３０などの次工程に送り出される。しかしながら、このようなカード送り出し機構においては、先頭に位置するカード１枚だけを送りだす時に、積層状態になったカードにおいてカードとカードの面同士が張り付いて、カードが送り出せないこと（カードジャム）があった。また、先頭とその隣のカードが密着した状態で同時にピックされてしまう（重送）こともあった。
【０００９】
カードを積層した場合の張り付きは、カードの面同士が静電気や鏡面密着や表面融着により起こることが考えられる。カードジャムや重送は、カード同士の張り付き力よりも、
搬送ローラー５の摩擦力が小さいために、発生する。カード集積部の先頭カードを、摩擦力を大きくする搬送機構によって搬送すれば、カードジャムや重送なくカードを送り出すことができる。
【００１０】
本発明では、積層しているカードから先頭のカードをピックアップするカードの供給において、カードピックアップ時に、先頭に位置するカード１枚を送りだす力を強くすることにより、カードジャムや重送などの不具合が無いカード送り出しを実現するカード供給装置を提供することを目的とする。
【課題を解決するための手段】
【００１１】
本発明は上記課題を解決するためになされたもので、本発明の請求項１に係る発明は、
カード供給装置であって、カードが集積され排出口からカードが繰出されるカードホッパー部と、前記カードホッパー部におけるカード集積部先頭のカードに接する搬送ベルトと、前記搬送ベルト裏面側に、前記搬送ベルトを介してカードを支持するテーブルと、を備えることを特徴とするカード供給装置である。
【００１２】
本発明の請求項２に係る発明は、前記搬送ベルトは、表面の摩擦係数が高いことを特徴とする請求項１記載のカード供給装置である。
【００１３】
本発明の請求項３に係る発明は、カード押圧部を有し、前記カード押圧部はカード集積部の後端のカードを付勢力によって押圧する押さえ板からなることを特徴とする請求項１または請求項２記載のカード供給装置である。
【発明の効果】
【００１４】
積層しているカードから先頭のカードをピックアップするカードの供給において、カードピックアップ時に、カード集積部先頭に位置するカード１枚だけを送りだす力を強くすることにより、カードジャムや重送などの不具合が無いカード送り出しを実現するカード供給装置を提供できる。
【図面の簡単な説明】
【００１５】
【図１】は本発明に係るカード供給装置の概略断面図である。
【図２】は本発明に係るカード供給装置の概略断面図である。
【図３】は従来のカード供給装置の概略断面図である。
【図４】は従来のカード供給装置の概略断面図である。
【発明を実施するための形態】
【００１６】
＜実施形態１＞
以下、本発明のカード供給装置について添付図面を参照して説明する。
【００１７】
図１は本発明のカード供給装置１００の実施形態を示す概略断面図である。
【００１８】
カード供給装置１００は、カード１が密接するカード集積部２を内包し、カード排出口９を有するカードホッパー部３と、カードホッパー部３のカード集積部２の先頭で、カードに接する搬送ベルト１０と、搬送ベルト１０裏面側に、搬送ベルト１０を介してカードを支持するテーブル１１と、を備える。
【００１９】
搬送ベルト１０は、表面の摩擦係数が高いことが望ましい。
【００２０】
カードホッパー部３のカード集積部２の先頭のカードを、搬送ベルト１０を介して、テーブル１１が支持し、カードに面接触し、ローラー１５、１６に架かった搬送ベルト１０が、ローラー１５、１６が回転することにより搬送ベルト１０が動き、カードに面接触しながら、カードを搬送する。そしてカードプリンタ本体３０に、カード排出口９から、カード１を供給する。
従来の技術において、カードホッパー部３のカード集積部２の先頭のカードを搬送ローラー５が線接触で接し、摩擦力で、カードホッパー部３のカード集積部２の先頭のカードを搬送していたが、本発明では、カードホッパー部３のカード集積部２の先頭のカードに面接触しながら、搬送ベルト１０が搬送するので、従来技術に比べカードへの摩擦力が増大し、カード集積部のカード同士の張り付き力よりも、カードを送りだす力が大きくなり、カードジャムや重送などの不具合が無いカード送り出しを行うカード供給装置を提供できる。
【００２１】
＜実施形態２＞
また、本発明のカード供給装置の別の実施形態について添付図面を参照して説明する。
【００２２】
図２は本発明のカード供給装置１０１の実施形態を示す概略断面図である。
【００２３】
カード供給装置１００は、カード１が密接するカード集積部２を内包し、カード排出口９を有するカードホッパー部３と、カードホッパー部３のカード集積部２の先頭で、カードに接する搬送ベルト１０と、搬送ベルト１０裏面側に、搬送ベルト１０を介してカードを支持するテーブル１１と、カード押圧部２０を備える。
【００２４】
カード押圧部２０はカード集積部２の後端のカードを付勢力２２によって押圧する押さえ板２１を有する。
【００２５】
搬送ベルト１０は、表面の摩擦係数が高いことが望ましい。
【００２６】
カード押圧部２０は、付勢力２２によってカード集積部２の後端のカード１を押さえ板２１によって押圧し、カード１同士を密着させながら、カード集積部２のカード１群を、カード排出口９側に寄せる。
【００２７】
カードホッパー部３のカード集積部２の先頭のカードを、搬送ベルト１０を介して、テーブル１１が支持し、カードに面接触し、ローラー１５、１６に架かった搬送ベルト１０が、ローラー１５、１６が回転することにより搬送ベルト１０が動き、カードに面接触しながら、カードを搬送する。そしてカードプリンタ本体３０に、カード排出口９から、カード１を供給する。
【００２８】
従来の技術において、カードホッパー部３のカード集積部２の先頭のカードを搬送ローラー５が線接触で接し、摩擦力で、カードホッパー部３のカード集積部２の先頭のカードを搬送していたが、本発明では、カードホッパー部３のカード集積部２の先頭のカードに面接触しながら、搬送ベルト１０が搬送するので、従来技術に比べカードへの摩擦力が増大し、カード集積部のカード同士の張り付き力よりも、カードを送りだす力が大きくなり、カードジャムや重送などの不具合が無いカード送り出しを行うカード供給装置を提供できる。
【符号の説明】
【００２９】
１・・・カード
２・・・カード集積部
３・・・カードホッパー部
５・・・搬送ローラー
６・・・ローラー軸
７・・・弾性材料
８・・・カード搬送部
９・・・カード排出口
１０・・・ベルト
１１・・・テーブル
１５・・・ローラー
１６・・・ローラー
２０・・・カード押圧部
２１・・・押さえ板
２２・・・付勢力
２６・・・カード搬送部
３０・・・カードプリンター本体
１００・・・カード供給装置
１０１・・・カード供給装置
２００・・・カード供給装置
２０１・・・カード供給装置
【図１】
2020055680.tif 000003
【図２】
2020055680.tif 000004
【図３】
2020055680.tif 000005
【図４】
2020055680.tif 000006